(57)【要約】【課題】配線迂回部の面積を抑制することのできる液晶表示パネルを提供する。【解決手段】液晶表示パネルは（１）、表示領域（３０）と非表示領域（１０）とを有する基板（１００）と、複数の第１配線と、上記複数の第１配線とは異なる層に形成された複数の第２配線と、上記複数の第１配線とも上記複数の第２配線とも異なる層に形成された複数のタッチパネル線（６０）と、複数のタッチパネル線（６０）の各々に各々が接続された複数のタッチパネル電極（７０ｔｅ）と、基板（１００）の一端に配置され、複数のタッチパネル線（６０）に接続されたセンシング部（８０）とを備え、センシング部（８０）から見て非表示領域（１０）よりも遠い位置に配置されているタッチパネル電極（７０ｔｅ）には、センシング部（８０）からのタッチパネル線（６０）からの少なくとも何れかが、基板（１００）の他端において折り返されたうえで接続されている。【選択図】図１
2019160174.tif 000002
【特許請求の範囲】
【請求項１】
表示領域と非表示領域とを有する基板と、
複数の第１配線と、
上記複数の第１配線とは異なる層に、当該複数の第１配線と交差して形成された複数の第２配線と、
上記複数の第１配線とも上記複数の第２配線とも異なる層に形成された複数のタッチパネル線と、
上記複数のタッチパネル線の各々に各々が接続された複数のタッチパネル電極と、
上記基板の一端に配置され、上記複数のタッチパネル線に接続されたセンシング部と、
を備え、
上記センシング部から見て上記非表示領域よりも遠い位置に配置されているタッチパネル電極には、上記センシング部からのタッチパネル線からの少なくとも何れかが、上記基板の他端において折り返されたうえで接続されている
ことを特徴とする液晶表示パネル。
【請求項２】
上記第１配線及び上記第２配線の少なくとも何れかは、
上記非表示領域の周囲に設けられた配線迂回領域において、上記タッチパネル線と同じ層に形成された接続線を経由している
ことを特徴とする請求項１に記載の液晶表示パネル。
【請求項３】
上記センシング部から見て上記非表示領域よりも近い位置に配置されている上記タッチパネル電極には、上記センシング部からの上記タッチパネル線が折り返されることなく接続されている
ことを特徴とする請求項１または２に記載の液晶表示パネル。
【請求項４】
上記タッチパネル線は、上記第１配線とも上記第２配線とも異なる層において、上記第１配線に沿って設けられている
ことを特徴とする請求項１〜３の何れか１項に記載の液晶表示パネル。
【請求項５】
上記複数のタッチパネル線は、絶縁層を介して上記複数の第１配線の一部の上側に形成されている
ことを特徴とする請求項１〜４の何れか１項に記載の液晶表示パネル。
【請求項６】
上記第１配線は、データ線であり、上記第２配線は、ゲート線である
ことを特徴とする請求項１〜５の何れか１項に記載の液晶表示パネル。
【請求項７】
上記第１配線は、ゲート線であり、上記第２配線は、データ線である
ことを特徴とする請求項１に記載の液晶表示パネル。
【発明の詳細な説明】
【技術分野】
【０００１】
本発明は、液晶表示パネルに関する。
【背景技術】
【０００２】
従来、タッチセンサ機能を内蔵した液晶表示パネルにおいて、その基板に穴あき部を形成する場合がある。この場合、断線や短絡等に起因して歩留りが低下する。逆に、歩留りを確保した場合は上記基板における表示領域が狭くなる。
【０００３】
その原因は、穴あき部には基板が存在せず、配線自体が不可能であるため、その周囲に、ゲート線、データ線やタッチパネル線（ＴＰ線）などの配線を迂回させるための配線迂回部を設ける必要があるためである。また、この配線迂回部は液晶を封入するためのシール材の形成領域でもあるため、一定の幅は必要であるが、表示領域が小さくならないように幅狭であることが好ましい。そのため、配線迂回部では各配線が密集することになり、配線幅を細くする必要が生じたり、配線間が狭くなったりするため、断線や短絡が生じやすくなる。
【０００４】
例えば、特許文献１には、貫通孔の周辺部に画素駆動回路に接続される低電圧電源線及び高電圧電源線を纏めてこれらの電源線の配設スペースを節約し、走査線がこれらの電源線と平面視で交差する部分においては、走査線を絶縁層上の別の層に設けることで、表示面積を確保することができる表示装置が記載されている。
【先行技術文献】
【特許文献】
【０００５】
【特許文献１】特開２００８−２５７１９１号（２００８年１０月２３日公開）
【発明の概要】
【発明が解決しようとする課題】
【０００６】
しかしながら、特許文献１の技術をそのまま用いて、単にある配線を別の層に設ける構成にしたとしても、タッチパネル線を備える構成において、歩留りを低下させずに配線迂回部の面積を抑制することは難しい。
【０００７】
本発明は、前記の課題を解決するためになされたものであり、その目的は、タッチパネル線を備える構成において、配線迂回部の面積を抑制することのできる液晶表示パネルを提供することにある。
【課題を解決するための手段】
【０００８】
前記の課題を解決するために、本発明の一態様に係る液晶表示パネルは、表示領域と非表示領域とを有する基板と、複数の第１配線と、上記複数の第１配線とは異なる層に、当該複数の第１配線と交差して形成された複数の第２配線と、上記複数の第１配線とも上記複数の第２配線とも異なる層に形成された複数のタッチパネル線と、上記複数のタッチパネル線の各々に各々が接続された複数のタッチパネル電極と、上記基板の一端に配置され、上記複数のタッチパネル線に接続されたセンシング部とを備え、上記センシング部から見て上記非表示領域よりも遠い位置に配置されているタッチパネル電極には、上記センシング部からのタッチパネル線からの少なくとも何れかが、上記基板の他端において折り返されたうえで接続されている。
【発明の効果】
【０００９】
本発明の一態様によれば、タッチパネル線を備える構成において、配線迂回部の面積を抑制することのできる液晶表示パネルを提供することができる。
【図面の簡単な説明】
【００１０】
【図１】本発明の実施形態１に係る液晶表示パネルの全体を示す図である。
【図２】図２の（ａ）は図１のＡ部の拡大図であり、（ｂ）は（ａ）の接続部の断面図である。
【図３】図３の（ａ）は図１における液晶表示パネルが備える１つの単位画素の平面図であり、（ｂ）は（ａ）のＸ-Ｘ’箇所の断面を示す断面図であり、（ｃ）は（ａ）のＹ-Ｙ’箇所の断面を示す断面図である。
【図４】実施形態１に係る液晶表示パネルの変形例１の、前記図２の（ａ）に相当する図である。
【図５】実施形態１に係る液晶表示パネルの変形例２の、前記図２の（ａ）に相当する図である。
【図６】画素配列態様を説明するための図であって、（ａ）は縦画素態様を示す図であり、（ｂ）は横画素態様を示す図である。
【図７】本発明の実施形態２に係る液晶表示パネルの全体を示す図である。
【図８】本発明の実施形態３に係る液晶表示パネルの全体を示す図である。
【発明を実施するための形態】
【００１１】
〔実施形態１〕
図１〜図６を参照して、本発明に係る実施形態１について以下に説明する。
【００１２】
（液晶表示パネルの全体構成）
以下、図１を参照して、本実施形態に係る液晶表示パネルの全体構成について説明する。図１は、本実施形態に係る液晶表示パネル１の全体を示す図である。図１に示すように、液晶表示パネル１は、所定の間隔を空けて対向配置された、例えばガラス基板のような基板（アレイ基板）１００および対向基板と、これら一対の基板の間に封入された液晶層を備えており、表示領域３０と非表示領域１０とを有する。また、図１には、液晶表示パネル１は、略円形（センシング部のみ直線部を備える）の外形を備える液晶パネルであって、その略中央部に円形の非表示領域１０を備える構成を例示している。非表示領域１０の周囲は表示領域３０で囲まれており、非表示領域１０の全ての領域、または、少なくとも一部の領域では、基板１００も略円形状にくり抜かれている。また、図１における符号８０は例えば基板１００の一端、例えば図示の下部端に配置されたセンシング部を示す。センシング部８０は、後述する複数のタッチパネル電極における電位の変化に基づいて、当該液晶パネルにユーザがタッチしたタッチ位置を検出する。なお、センシング部８０は、例えば、後述するソース線４０へデータ信号を出力するソースドライバ部に含まれる場合もある。
【００１３】
また、符号２０は非表示領域１０の周囲に設けられた配線迂回領域を示し、符号４０はデータ線（ソース線とも呼ばれる）を示し、符号５０はゲート線（走査線とも呼ばれる）を示す。符号Ｚはゲート線５０へ走査信号を出力するゲートドライバ部を示す。
【００１４】
また、符号６０はタッチパネル線を示し、符号７０はタッチパネル線６０が接続するタッチパネル電極（コモン電極とも呼ばれる）を示す。また、ゲート線５０はデータ線４０とは異なる層にデータ線４０と交差して形成され、タッチパネル線６０はデータ線４０ともゲート線５０とも異なる層に形成される。
【００１５】
なお、ここでは、非表示領域１０において、基板１００がくり抜かれている構成を示したが、必ずしも基板１００はくり抜かれていなくてもよい。例えば、非表示領域１０に基板１００が存在している場合であっても、その周囲に配線迂回領域を設けることで、非表示領域１０に配置される配線を無くした構成とすれば、非表示領域１０の透過率を向上させることができる。このような構成は、非表示領域１０の背面に、バックライトを配置せずに、スロットマシンのドラム（リール）を配置するような遊技機において好適である。
【００１６】
また、本実施形態を含む以下の各実施形態には、基本構成として、基板側にタッチセンサの基本構成となるタッチパネル電極等が集約されている構成、所謂フルインセルタッチパネル構成とする。
【００１７】
また液晶表示パネルを構成する各画素の画素電極に対して、液晶層を介して共通の電極となる上記のコモン電極も基板側に形成される。このコモン電極は、例えば２mm〜６mm程度の長さの辺を有する複数の矩形電極（非表示領域の近傍では、矩形でない場合も有り）に分割され、それぞれが少なくとも１本のタッチパネル線と接続されることで、タッチタッチパネル電極（ＴＰ電極とも呼ばれる）として機能する。
【００１８】
タッチセンサとして機能する期間（センシング期間）と、各画素に画像信号を書き込む期間（書き込み期間）とは、それぞれ別であり、書き込み期間において、複数のタッチパネル電極は同じ定電位とされる。
【００１９】
各画素に対応するスイッチング素子は酸化物半導体型薄膜トランジスタを想定している。これは、センサ精度の高い（書き込み期間に対するセンシング期間の比率が高い）インセルタッチパネルを想定し、各画素へ充電時間が短い場合に好適なスイッチング素子とするためであるが、画面サイズや解像度、センサ精度に応じて、ａ-Ｓｉやｐ-Ｓｉの薄膜トランジスタ等でも使用可能である。
【００２０】
具体的には、図１に示すように、液晶表示パネル１は複数のデータ線４０、複数のゲート線５０、および複数のタッチパネル線６０を備えている。また、本実施形態において、１つのタッチパネル電極７０に１本のタッチパネル線６０が対応しているとする。
【００２１】
また、センシング部８０から見て非表示領域１０よりも遠い位置に配置されている１つのタッチパネル電極、例えば非表示領域１０に隣接している図示のタッチパネル電極７０には、センシング部８０からの複数のタッチパネル線６０の１本が、基板１００の他端、例えば図示する上部端において折り返されたうえで接続されている。
【００２２】
本実施形態において、それぞれのタッチパネル電極７０サイズは、それぞれの画素よりも大きいので、センシング部８０によるセンシングのために必要なタッチパネル線６０の本数は、一般に、データ線４０の本数よりも少ない。一方で、本実施形態では、後述するように、各タッチパネル線６０は、データ線４０に沿って配置（データ線４０の上層に配置）される。
【００２３】
このため、従来のように、タッチパネル線６０を折り返さない構成においては、対応するタッチパネル線が存在しないデータ線４０（上層にタッチパネル線６０が形成されていないデータ線）が生じ得る。本明細書では、このようなデータ線のことを便宜的に「余剰データ線」と呼ぶことにする。
【００２４】
本実施形態では、上述のような余剰データ線に沿って（より具体的にはその上層に）、上述した折り返し後のタッチパネル線６０を形成することによって、従来であれば、利用されなかった配線領域を好適に利用してタッチパネル線を引き回すことができる。
【００２５】
図２の（ａ）は図１のＡ部の拡大図であり、（ｂ）は（ａ）の接続部６５の断面図である。詳細は後述するが、本実施形態において、接続部６５はデータ線４０のタッチパネル線層６０における繋ぎ換え部を指す。図２の（ｂ）に示すように、液晶表示パネル１は、多層積層構成となっている。図２の（ｂ）にはゲート線層を図示しないが、液晶表示パネル１は、基板１００上にゲート絶縁膜５０ａ、データ線層４０、第１絶縁膜５１、タッチパネル線層６０、および第２絶縁膜７１がこの順に形成されている。
【００２６】
なお、本明細書において、「データ線層」とは、広義の意味で、データ線が形成される層のことを指し、狭義の意味で、そのような層に形成されたデータ線自体のことを指す。その他の「線層」との表現についても同様である。
【００２７】
以上のように、本実施形態において、液晶表示パネル１は、表示領域３０と非表示領域１０とを有する基板１００と、複数の第１配線（本実施形態ではデータ線４０を指す）と、複数の第１配線４０とは異なる層に、複数の第１配線４０と交差して形成された複数の第２配線（本実施形態ではゲート線５０を指す）と、複数の第１配線４０とも複数の第２配線５０とも異なる層に形成された複数のタッチパネル線６０と、複数のタッチパネル線６０の各々に各々が接続された複数のタッチパネル電極７０と、基板１００の一端に配置され、複数のタッチパネル線６０に接続されたセンシング部８０とを備え、センシング部８０から見て非表示領域１０よりも遠い位置に配置されているタッチパネル電極７０には、センシング部８０からのタッチパネル線６０からの少なくとも何れかが、基板１００の他端において折り返されたうえで接続されている。
【００２８】
上記の構成によれば、タッチパネル線６０を備える構成において、配線迂回部２０にはタッチパネル線６０を配置する必要がなくなるため、配線迂回部２０の面積を抑制することのできる液晶表示パネル１を提供することができる。
【００２９】
以下、図２を参照して、液晶表示パネル１の構成について詳細に説明する。上述したように、図２の（ａ）は図１のＡ部の拡大図であり、（ｂ）は（ａ）の接続部６５の断面図である。図２に示す例では、複数の第１配線４０のそれぞれは、データ線４０ｓ、４０（ｓ＋１）、４０（ｓ＋２）、４０（ｓ＋３）、…である。同様に、複数の第２配線５０のそれぞれは、ゲート線５０ｇ、５０（ｇ＋１）、…である。また、複数（図２の（ａ）に示す例では形状が互いに異なる１２個）のタッチパネル電極７０にはそれぞれタッチパネル線が接続されている。
【００３０】
ここで、データ線４０ｓ、４０（ｓ＋１）、４０（ｓ＋２）、４０（ｓ＋３）、…におけるｓとは、Ｓｏｕｒｃｅの頭文字であると共に、それぞれのデータ線を互いに識別するためのインデックスであり、０以上の整数である。また、ゲート線５０ｇ、５０（ｇ＋１）、…におけるｇとは、Ｇａｔｅの頭文字であると共に、それぞれのゲート線を互いに識別するためのインデックスであり、０以上の整数である。以下、このようなインデックスとして、ｎ、ｍ等を用いることもある。
【００３１】
また、本実施形態に係る液晶表示パネル１では、図２の（ａ）に示すように、第１配線４０の少なくとも何れかは、非表示領域１０の周囲に設けられた配線迂回領域２０において、タッチパネル線６０と同じ層に形成された接続線、例えば接続線６０ｔ（ｓ＋１）、６０ｔ（ｓ＋３）を経由している。
【００３２】
ここで、接続線６０ｔ（ｓ＋１）、６０ｔ（ｓ＋３）における６０ｔはタッチパネル線６０と同じ層に形成されたことを表し、その（ｓ＋１）および（ｓ＋３）はデータ線４０（ｓ＋１）および４０（ｓ＋３）のそれぞれに対応することを表す。この記載方法は以下にも同様である。
【００３３】
上記の構成によれば、配線迂回領域２０において、タッチパネル線６０と同じ層に形成された接続線を用いて一部のデータ線４０を接続することにより、タッチパネル線層６０を有効に利用することができる。また、隣接するデータ線の短絡が発生する確率を低減できる。また、データ線４０の配置密度を過度に増加させることなく、配線迂回領域２０の面積を低減することができる。
【００３４】
また、本実施形態に係る液晶表示パネル１では、図１および図２に示すように、センシング部８０から見て非表示領域１０よりも近い位置に配置されているタッチパネル電極には、センシング部８０からのタッチパネル線６０が折り返されることなく接続されている。
【００３５】
具体的には、例えば図１に示す例では、センシング部８０から見て非表示領域１０よりも近い位置に配置された６つのタッチパネル電極にそれぞれ接続される６本のタッチパネル線は、折り返されずに、センシング部８０から延伸している構成となっている。
【００３６】
上記の構成によれば、センシング部から見て非表示領域よりも近い位置に配置されているタッチパネル電極に接続されるタッチパネル線は、配線迂回領域を通らないため、シンプルな接続態様にすることができ、タッチパネル線の長さを長くしないでよいため、断線が発生する確率を低減することができる。
【００３７】
以下、図３を参照して、液晶表示パネル１の構成についてさらに説明する。図３の（ａ）は、図１における液晶表示パネル１が備える１つの単位画素３の平面図であり、（ｂ）は（ａ）のＸ-Ｘ’箇所の断面を示す断面図であり、（ｃ）は（ａ）のＹ-Ｙ’箇所の断面を示す断面図である。
【００３８】
図３の（ａ）に示すように、単位画素３は間隔Ｗを有するタッチパネル電極７０ｍおよびタッチパネル電極７０ｎを備えている。単位画素３は、タッチパネル電極７０ｍとタッチパネル線６０ｍとを接続するための接続部６５ｍ１および６５ｍ２を備える。また、タッチパネル線６０ｍおよび６０（ｍ−１）はそれぞれその下層に配置されたデータ線４０ｍおよび４０（ｍ−１）と、第１絶縁膜５１を介して重畳している。なお、タッチパネル線６０（ｍ−１）はタッチパネル電極７０ｍを含むタッチパネル電極列のいずれにも接続されない。また、符号５０ｍはゲート線を示す。
【００３９】
また、図３の（ｂ）に示すように、液晶表示パネルにおいて、基板１００上に基板１００を覆うようにゲート絶縁膜５０ａが形成されている。また、ゲート絶縁膜５０ａ上にデータ線層４０ｍが配置されている。また、データ線層４０ｍ上にデータ線層４０ｍを覆うように第１絶縁膜５１が形成されている。また、第１絶縁膜５１上の、データ線層４０ｍに対応する箇所にタッチパネル線層６０ｍが配置され、同じ層のタッチパネル線層６０ｍと離間した他の箇所に透明導電膜からなる画素電極層５２が配置されている。上記各層の上に当該各層を覆うように第２絶縁膜７１が形成されている。最後に、第２絶縁膜７１上に、開口部７３およびスリット７２を介してそれぞれタッチパネル線層６０ｍおよび画素電極層５２に対応する箇所を露出させる透明導電膜からなるタッチパネル電極７０ｍが形成されている。
【００４０】
このように、特に図３の（ｂ）に示すように、本実施形態に係る液晶表示パネルにおいて、タッチパネル線６０ｍは、第１配線４０（本実施形態ではデータ線層４０ｍ）とも第２配線５０（本実施形態ではゲート線層５０ｍ）とも異なる層において、第１配線４０に沿って設けられている。
【００４１】
また、本実施形態に係る液晶表示パネルにおいて、タッチパネル線６０ｍは、第１絶縁膜５１を介して複数の第１配線４０の一部であるデータ線層４０ｍの上側に形成されている。また、第１配線４０の一部の上側とは、第１配線４０ｍの、基板とは反対側のことを指す。
【００４２】
ゲート絶縁膜５０aは、例えば、二酸化ケイ素（ＳｉＯ２）および窒化珪素（ＳｉＮｘ）等の無機絶縁材料によって形成することができる。ここでは、窒化珪素（ＳｉＮｘ）上に二酸化ケイ素（ＳｉＯ２）を形成した積層膜とする。また、第１絶縁膜５１は、例えば、感光剤を含むアクリル樹脂等の有機絶縁材料によって形成されていてもよいし、ゲート絶縁膜５０ａのように二酸化ケイ素（ＳｉＯ２）および窒化珪素（ＳｉＮｘ）等の無機絶縁材料によって形成されていてもよい。ここでは、二酸化ケイ素（ＳｉＯ２）上に窒化珪素（ＳｉＮｘ）を形成した積層膜とする。
【００４３】
タッチパネル線層６０ｍは、例えば、チタン（Ｔｉ）、銅（Ｃｕ）、アルミニウム（Ａｌ）またはＩＴＯ（透明導電膜）やこれらの積層膜によって形成することができる。また、第２絶縁膜７１は、例えば、窒化珪素（ＳｉＮｘ）等の無機絶縁材料によって形成することができる。
【００４４】
データ線層４０ｍは導電層であり、例えば、チタン（Ｔｉ）、銅（Ｃｕ）、クロム（Ｃｒ）、アルミニウム（Ａｌ）、金（Ａｕ）、モリブデン（Ｍｏ）、タングステン（Ｗ）またはこれらの合金や積層膜等の金属材料によって形成することができる。本実施形態において、銅（Ｃｕ）およびモチタン（Ｔｉ）からなる２重構成によって形成することが好ましい。
【００４５】
また、図３の（ｃ）において、上記のデータ線層４０ｍと同構成のゲート線層５０ｍを図示している。また、ゲート絶縁膜５０ａ上に酸化物半導体膜５３が図示されている。その他の構成につい上記に説明しているためその説明を省略する。
【００４６】
なお、基板１００と対向基板のうち液晶層に接する最内面には、液晶層に含まれる液晶分子を配向させるための配向膜がそれぞれ形成されている。
【００４７】
ここで、タッチパネル電極７０は、画素電極５２に対するコモン電極として機能する。互いに重畳する画素電極５２とタッチパネル電極７０との間に電位差が生じると、スリット７２の縁と画素電極５２との間には、基板１００の板面に沿う成分を含むフリンジ電界が生じるので、そのフリンジ電界を利用して液晶層に含まれる液晶分子の配向状態を制御することができる。つまり、本実施形態に係る液晶表示パネル１は、ＦＦＳ（Fringe Field Switching）モードとされる。
【００４８】
（変形例１）
本変形例は、実施形態１と相違する構成は主に配線迂回領域において接続線を用いてゲート線５０を接続することにある。以下、この相違点を中心的に説明する。
【００４９】
以下、図４を参照して、液晶表示パネル１ａの構成について説明する。本変形例において実施形態１と共通する部材には、同一の部材番号を付し、特に必要がない限りその詳細な説明を繰り返さない。図４は実施形態１に係る液晶表示パネルの変形例１の、前記図２の（ａ）に相当する図である。
【００５０】
図４に示すように、複数の第１配線４０のそれぞれは、データ線４０ｓ、４０（ｓ＋１）、４０（ｓ＋２）、４０（ｓ＋３）、…である。同様に、複数の第２配線５０のそれぞれは、ゲート線５０ｇ、５０（ｇ＋１）、…であり、複数（図示では形状が互いに異なる１２個）のタッチパネル電極７０ａにはそれぞれタッチパネル線が接続されている。
【００５１】
また、本変形例に係る液晶表示パネル１ａでは、図４に示すように、第２配線５０の少なくとも何れかは、非表示領域１０ａの周囲に設けられた配線迂回領域２０ａにおいて、タッチパネル線と同じ層に形成された接続線、例えば接続線６０ｔｇを経由している。
【００５２】
ここで、接続線６０ｔｇにおける６０ｔはタッチパネル線と同じ層に形成されたことを表し、そのｇはゲート線５０ｇに対応することを表す。
【００５３】
上記の構成によっても、実施形態１と同様な効果を奏することができる。
【００５４】
（変形例２）
本変形例は、上記の変形例１と相違する構成は主に非表示領域の形状が円形状ではなく例えば矩形であることにある。以下、この相違点を中心的に説明する。
【００５５】
以下、図５を参照して、液晶表示パネル１ｂの構成について説明する。本変形例において実施形態１と共通する部材には、同一の部材番号を付し、特に必要がない限りその詳細な説明を繰り返さない。図５は実施形態１に係る液晶表示パネルの変形例２の、前記図２の（ａ）に相当する図である。
【００５６】
図５に示すように、複数の第１配線４０のそれぞれは、データ線４０ｓ１、４０（ｓ１＋１）、…である。同様に、複数の第２配線５０のそれぞれは、ゲート線５０ｇ１、５０（ｇ１＋１）、５０（ｇ１＋２）、５０（ｇ１＋３）、…であり、複数（図示では形状が互いに異なる）のタッチパネル電極７０ｂにはそれぞれタッチパネル線が接続されている。
【００５７】
また、本変形例に係る液晶表示パネル１ｂでは、図５に示すように、第２配線５０の少なくとも何れかは、非表示領域１０ｂの周囲に設けられた配線迂回領域２０ｂにおいて、タッチパネル線６０ａと同じ層に形成された接続線、例えば接続線６０ｔｇ１、６０ｔ（ｇ１＋２）を経由している。
【００５８】
ここで、接続線６０ｔｇ１、６０ｔ（ｇ１＋２）における６０ｔはタッチパネル線と同じ層に形成されたことを表し、そのｇ１および（ｇ１＋２）はゲート線５０ｇ１およびゲート線５０（ｇ１＋２）にそれぞれ対応することを表す。
【００５９】
上記の構成によっても、実施形態１および上記の変形例１と同様な効果を奏することができる。
【００６０】
また、上記の説明では、接続線によってデータ線４０またはゲート線５０の一部を接続する構成を説明したが、これに限定されるものではなく、例えばデータ線とゲート線との両方に対して、上記接続線を適用しても良い。
【００６１】
（画素配列態様）
以下、図６を参照して、液晶表示パネルの画素配列態様について説明する。図６は、画素配列態様を説明するための図であり、（ａ）は縦画素（縦ストライプ画素または縦長画素とも言う）を示す図であり、（ｂ）は横画素（横ストライプ画素または横長画素とも言う）を示す図である。
【００６２】
図６の（ａ）に示す液晶表示パネル１ｃの画素配列態様と、図６の（ｂ）に示す液晶表示パネル１ｄの画素配列態様とを比較すると、横画素配列態様は、縦画素配列態様に対して、表示領域と非表示領域とを有する基板と対向して配置する対向基板のカラーフィルタの配列方向を９０度回転させた構成であり、ゲート線５０の本数が増加する（例えば３倍になる）ことの代わりに、データ線４０の本数がその分減少する（例えば３分の１になる）構成になる。そこで、画素配列態様が図６の（ｂ）に示す例では、配線迂回領域におけるデータ線より、ゲート線の本数が多くなったとしても上記の変形例２の構成を適用することにより、実施形態１および上記の変形例１と同様な効果を奏することができる。
【００６３】
〔実施形態２〕
以上、非表示領域は、液晶表示パネルの中央に、円形状または矩形に設けられている構成を説明したが、それに限定されない。例えば、非表示領域は、液晶表示パネルの周辺に設けられていてもよい。すなわち、非表示領域が、完全に表示領域に囲まれずに、少なくとも一部が表示領域に囲まれるような構成であってもよい。また、非表示領域の形状はその他の形状であってもよい。
【００６４】
図７は、本実施形態２に係る液晶表示パネル１ｅの全体を示す図である。例えばほぼ矩形状の外形（表示領域）の側辺に接するように非表示領域が形成される構成（図７の左右両側の半円形状）においても、図７に示すように、複数の第１配線４０のそれぞれは、データ線４０ｓ２、４０（ｓ２＋１）、…である。同様に、複数の第２配線５０のそれぞれは、ゲート線５０ｇ２、５０（ｇ２＋１）、５０（ｇ２＋２）、５０（ｇ２＋３）、…であり、複数（図示では形状が互いに異なる）のタッチパネル電極７０ｅにはそれぞれタッチパネル線が接続されている。また、符号Ｚ１はゲート線へ走査信号を出力するゲートドライバ部を示す。
【００６５】
また、本実施形態に係る液晶表示パネル１ｅでは、図７に示すように、第１配線４０の少なくとも何れかは、非表示領域の周囲に設けられた配線迂回領域において、タッチパネル線と同じ層に形成された接続線、例えば接続線６０ｔ（ｓ２＋１）を経由している。
【００６６】
ここで、接続線６０ｔ（ｓ２＋１）における６０ｔはタッチパネル線６０と同じ層に形成されたことを表し、その（ｓ２＋１）はデータ線４０（ｓ２＋１）に対応することを表す。
【００６７】
上記の構成によっても、上記の実施形態１およびその変形例と同様な効果を奏することができる。
【００６８】
〔実施形態３〕
以下、図８を参照して、本実施形態３に係る液晶表示パネルの構成について説明する。図８は、本実施形態３に係る液晶表示パネル１ｆの全体を示す図である。例えばほぼ矩形状の外形（表示領域）のコーナ部に非表示領域が形成される構成（図８の左右両側の下部）においても、図８に示すように、複数の第１配線４０のそれぞれは、データ線４０ｓ３、４０（ｓ３＋１）、である。同様に、複数の第２配線５０のそれぞれは、ゲート線５０ｇ３、５０（ｇ３＋１）、５０（ｇ３＋２）、…であり、複数（図示では形状が互いに異なる）のタッチパネル電極７０ｆにはそれぞれタッチパネル線が接続されている。また、符号Ｚ２はゲート線へ走査信号を出力するゲートドライバ部を示す。
【００６９】
また、本実施形態に係る液晶表示パネル１ｆでは、図８に示すように、第１配線４０の少なくとも何れかは、非表示領域の周囲に設けられた配線迂回領域において、タッチパネル線と同じ層に形成された接続線、例えば接続線６０ｔ（ｓ３＋１）を経由している。
【００７０】
ここで、接続線６０ｔ（ｓ３＋１）における６０ｔはタッチパネル線６０と同じ層に形成されたことを表し、その（ｓ３＋１）はデータ線４０（ｓ３＋１）に対応することを表す。
【００７１】
上記の構成によっても、上記の実施形態１およびその変形例と実施形態２と同様な効果を奏することができる。
【００７２】
また、上記の説明では、第１配線４０はデータ線であり、第２の配線５０はゲート線である構成を例示して説明したが、これに限定されるものではなく、例えば第１配線４０はゲート線であり、第２の配線５０はデータ線であってもよい。
【００７３】
また、上記の説明では、非表示領域は、基板が存在しない領域であってもよいし、基板が存在するが、画素が配置されていない領域であってもよい。
【００７４】
〔まとめ〕
本発明の態様１に係る液晶表示パネル（１）は、表示領域（３０）と非表示領域（１０）とを有する基板（１００）と、複数の第１配線（４０）と、複数の第１配線（４０）とは異なる層に、複数の第１配線（４０）と交差して形成された複数の第２配線（５０）と、複数の第１配線（４０）とも複数の第２配線（５０）とも異なる層に形成された複数のタッチパネル線（６０）と、複数のタッチパネル線（６０）の各々に各々が接続された複数のタッチパネル電極（７０ｔｅ）と、基板（１００）の一端に配置され、複数のタッチパネル線（６０）に接続されたセンシング部（８０）とを備え、センシング部（８０）から見て非表示領域（１０）よりも遠い位置に配置されているタッチパネル電極（７０ｔｅ）には、センシング部（８０）からのタッチパネル線（６０）からの少なくとも何れかが、基板（１００）の他端において折り返されたうえで接続されている。
【００７５】
上記の構成によれば、ゲート線（５０）、データ線（４０）、およびタッチパネル線（６０）を備える構成において、配線迂回部（２０）の面積を抑制することのできる液晶表示パネル（１）を提供することができる。
【００７６】
本発明の態様２に係る液晶表示パネル（１）は、前記態様１において、第１配線（４０）及び第２配線（５０）の少なくとも何れかは、非表示領域（１０）の周囲に設けられた配線迂回領域（２０）において、タッチパネル線（６０）と同じ層に形成された接続線を経由していてもよい。
【００７７】
上記の構成によれば、配線迂回領域（２０）において、タッチパネル線（６０）と同じ層に形成された接続線を用いて一部のデータ線（４０）を接続することにより、タッチパネル線層（６０）を有効に利用することができる。また、隣接するゲート線の短絡が発生する確率を低減できる。また、データ線（４０）の配置密度を過度に増加させることなく、配線迂回領域（２０）の面積を低減することができる。
【００７８】
本発明の態様３に係る液晶表示パネル（１）は、前記態様１または２において、センシング部（８０）から見て非表示領域（１０）よりも近い位置に配置されているタッチパネル電極（７０ｔｅ）には、センシング部（８０）からのタッチパネル線（６０）が折り返されることなく接続されていてもよい。
【００７９】
上記の構成によれば、センシング部から見て非表示領域よりも近い位置に配置されているタッチパネル電極に接続されるタッチパネル線は、配線迂回領域を通らないため、シンプルな接続態様にすることができ、タッチパネル線の長さを長くしないでよいため、断線が発生する確率を低減することができる。
【００８０】
本発明の態様４に係る液晶表示パネル（１）は、前記態様１〜３の何れかにおいて、タッチパネル線（６０）は、第１配線（４０）とも第２配線（５０）とも異なる層において、第１配線（４０）に沿って設けられていてもよい。
【００８１】
本発明の態様５に係る液晶表示パネル（１）は、前記態様１〜４の何れかにおいて、複数のタッチパネル線（６０）は、絶縁層（５１）を介して複数の第１配線（４０）の一部の上側に形成されていてもよい。
【００８２】
本発明の態様６に係る液晶表示パネル（１）は、前記態様１〜５の何れかにおいて、第１配線（４０）は、データ線であり、第２配線（５０）は、ゲート線であってもよい。
【００８３】
本発明の態様７に係る液晶表示パネル（１）は、前記態様１において、第１配線（４０）は、ゲート線であり、第２配線は、データ線であってもよい。
【００８４】
本発明は前述した各実施形態に限定されるものではなく、請求項に示した範囲で種々の変更が可能である。異なる実施形態にそれぞれ開示された技術的手段を適宜組み合わせて得られる実施形態も、本発明の技術的範囲に含まれる。各実施形態にそれぞれ開示された技術的手段を組み合わせることによって、新しい技術的特徴を形成することもできる。
【符号の説明】
【００８５】
１、１ａ〜１ｆ  液晶表示パネル
３  単位画素
１０、１０ａ、１０ｂ  非表示領域
２０、２０ａ、２０ｂ  配線迂回領域
３０、３０ａ、３０ｂ  表示領域
４０（４０ｓ、４０（ｓ＋１）〜４０（ｓ３＋１））、４０ｍ  第１配線（データ線）
５０（５０ｇ、５０（ｇ＋１）〜５０（ｇ３＋２））、５０ｍ  第２配線（ゲート線）
６０、６０ｍ  タッチパネル線
６０ｔ（ｓ＋１）〜６０ｔ（ｓ３＋１）、６０ｔｇ〜６０ｔ（ｇ１＋２）  接続線
６５、６５ａ、６５ｂ、６５ｅ、６５ｆ  接続部
７０、７０ａ、７０ｂ、７０ｅ、７０ｆ、７０ｍ  タッチパネル電極
８０  センシング部
１００  基板
【図１】
2019160174.tif 000003
【図２】
2019160174.tif 000004
【図３】
2019160174.tif 000005
【図４】
2019160174.tif 000006
【図５】
2019160174.tif 000007
【図６】
2019160174.tif 000008
【図７】
2019160174.tif 000009
【図８】
2019160174.tif 000010